(57)【要約】【課題】２つの表示部による表示状態に切り替えられたときに、他のアプリケーションの動作画面を、迅速に表示させることができる携帯端末装置を提供する。【解決手段】携帯電話機は、第１ディスプレイ１１および第２ディスプレイ２１と、ＣＰＵ１００とを備える。携帯電話機は、第１ディスプレイ１１と第２ディスプレイ２１のうち第１ディスプレイ１１が外部に露出する第１の状態と、双方のディスプレイ１１、２１が外部に露出する第２の状態に切り替え可能とされている。ＣＰＵ１００は、前記第１の状態において、アプリケーション（ＡＰ１）を動作させて第１ディスプレイ１１に表示を行っているとき、アプリケーション（ＡＰ１）に関連付けられたアプリケーション（ＡＰ２）を動作状態に設定する。【選択図】図３
2011205576.tif 000002
【特許請求の範囲】
【請求項１】
携帯端末装置において、
第１の表示部と、
第２の表示部と、
制御部と、
前記第１の表示部と前記第２の表示部のうち前記第１の表示部が外部に露出する第１の状態と前記第１の表示部および前記第２の表示部の両方が外部に露出する第２の状態に切り替えるための切替部と、
を備え、
前記制御部は、前記第１の状態において、第１のアプリケーションを動作させて前記第１の表示部に表示を行っているとき、前記第１のアプリケーションに関連付けられた第２のアプリケーションを動作状態に設定する、
ことを特徴とする携帯端末装置。
【請求項２】
請求項２に記載の携帯端末装置において、
前記制御部は、前記第１の状態において、前記第２の表示部を非動作状態とする、
ことを特徴とする携帯端末装置。
【請求項３】
請求項１または２に記載の携帯端末装置において、
前記制御部は、前記第１の状態から前記第２の状態に切り替わると、前記第２のアプリケーションの動作画面を、前記第２の表示部に表示する、
ことを特徴とする携帯端末装置。
【請求項４】
請求項１ないし３の何れか一項に記載の携帯端末装置において、
前記第１のアプリケーションと前記第２のアプリケーションとを対応付けるテーブルを記憶する記憶部を備え、
前記制御部は、前記第１の状態において、前記第１のアプリケーションを動作させて前記第１の表示部に表示を行っているとき、前記テーブルにおいて当該第１のアプリケーションに対応付けられた前記第２のアプリケーションを動作状態に設定する、
ことを特徴とする携帯端末装置。
【請求項５】
請求項４に記載の携帯端末装置において、
設定操作に基づいて、前記テーブルに、前記第１のアプリケーションと前記第２のアプリケーションとの対応付けを登録するためのテーブル設定部を備える、
ことを特徴とする携帯端末装置。
【請求項６】
請求項１ないし３の何れか一項に記載の携帯端末装置において、
前記制御部は、前記第２の状態において前記第２の表示部に所定のアプリケーションの動作画面が表示されているときに、前記第１の状態に切り替えられた場合、切り替え前の第２の表示部に表示されていた前記所定のアプリケーションを前記第２のアプリケーションに設定する、
ことを特徴とする携帯端末装置。
【請求項７】
請求項１ないし６の何れか一項に記載の携帯端末装置において、
前記制御部は、前記第１の状態において、前記第１のアプリケーションに対する入力操作が所定時間なされなければ、前記第２のアプリケーションを停止する、
ことを特徴とする携帯端末装置。
【請求項８】
請求項７に記載の携帯端末装置において、
前記制御部は、前記入力操作が再開されると、前記第２のアプリケーションを再び起動する、
ことを特徴とする携帯端末装置。
【請求項９】
請求項１ないし８の何れか一項に記載の携帯端末装置において、
前記制御部は、前記第１の状態において、前記第１のアプリケーションが停止したことに基づいて、前記第２のアプリケーションの動作画面を前記第１の表示部に表示する、
ことを特徴とする携帯端末装置。
【請求項１０】
請求項１ないし９の何れか一項に記載の携帯端末装置において、
前記制御部は、前記第１の状態において、電話の着信があると、通話機能のアプリケーションの動作画面を前記第１の表示部に表示するとともに、前記通話機能のアプリケーションに対応付けられた前記第２のアプリケーションを起動する、
ことを特徴とする携帯端末装置。
【請求項１１】
請求項１０に記載の携帯端末装置において、
前記制御部は、通話機能のアプリケーションが停止すると、前記着信前に起動していた前記第１のアプリケーションの動作画面を前記第１の表示部に表示するとともに、前記着信前に動作させていた前記第２のアプリケーションを起動する、
ことを特徴とする携帯端末装置。
【発明の詳細な説明】
【技術分野】
【０００１】
本発明は、携帯電話機やＰＤＡ（Personal Digital Assistant）等の携帯端末装置に関するものである。
【背景技術】
【０００２】
一般に、携帯電話機においては、液晶パネル等によるディスプレイに操作画面やメール文書、テレビ映像などが表示されるようになっている。近年、携帯電話機では、２つのディスプレイを配置する構成が検討されている（たとえば、特許文献１参照）。この場合、たとえば、第１のディスプレイの下に第２のディスプレイが重ねて配置され、第１のディスプレイのみが外部に露出した状態から第１のディスプレイを移動させることにより、双方のディスプレイが外部に露出する状態に切り替えられる。
【０００３】
このような携帯電話機では、第２のディスプレイが開けられると、２つのディスプレイからなる大きなディスプレイ面に、文字や画像を多く表示したり大きく表示したりすることが可能となる。また、各々のディスプレイにおいて、異なるアプリケーションを同時に起動させることが可能となる。
【先行技術文献】
【特許文献】
【０００４】
【特許文献１】特開２００２−４４２０２号公報
【発明の概要】
【発明が解決しようとする課題】
【０００５】
上記構成の携帯電話機では、第１のディスプレイのみが外部に露出した状態において、所定のアプリケーションが実行される場合がある。この場合、ユーザは、現在動作中のアプリケーション以外の他のアプリケーションの動作画面も、同時に参照したいと考えることがある。このとき、ユーザは、たとえば、第２のディスプレイを外部に露出させ、その後、他のアプリケーションを起動する操作を行う必要がある。しかし、こうなると、ユーザに複数の操作が必要となってしまう。また、ユーザは、起動操作を行った後、他のアプリケーションが起動するのを待たなければならず、ユーザに携帯電話機の利便性が劣るとの印象を与える惧れがある。
【０００６】
本発明は、このような課題に鑑みてなされたものであり、２つの表示部による表示状態に切り替えられたときに、他のアプリケーションの動作画面を、迅速に表示させることができる携帯端末装置を提供することを目的とする。
【課題を解決するための手段】
【０００７】
本発明の携帯端末装置は、第１の表示部と、第２の表示部と、制御部と、前記第１の表示部と前記第２の表示部のうち前記第１の表示部が外部に露出する第１の状態と前記第１の表示部および前記第２の表示部の両方が外部に露出する第２の状態に切り替えるための切替部とを備える。ここで、前記制御部は、前記第１の状態において、第１のアプリケーションを動作させて前記第１の表示部に表示を行っているとき、前記第１のアプリケーションに関連付けられた第２のアプリケーションを動作状態に設定する。
【０００８】
本発明の携帯端末装置によれば、第１の状態において、第２のアプリケーションが動作状態となっているため、第２の状態に切り替わったときに、第２のアプリケーションの動作画面を迅速に表示させることができる。
【０００９】
本発明の携帯端末装置において、前記制御部は、前記第１の状態において、前記第２の表示部を非動作状態とするよう構成され得る。
【００１０】
このような構成とすれば、第１の状態において、第２の表示部は非動作状態とされるので、無駄な電力消費を抑えることができる。
【００１１】
本発明の携帯端末装置において、前記制御部は、前記第１の状態から前記第２の状態に切り替わると、前記第２のアプリケーションの動作画面を、前記第２の表示部に表示するよう構成され得る。
【００１２】
このような構成とすれば、第１の表示部における第１のアプリケーションの動作画面の表示をそのまま維持しながら、第２のアプリケーションの動作画面を第２の表示部に表示させることができる。よって、ユーザは、第２の状態への切り替え移行時に、第１のアプリケーションの動作画面の参照をそのまま続けながら、適宜、スムーズに、第２のアプリケーションの動作画面の参照へと移行することができる。
【００１３】
本発明の携帯端末装置は、前記第１のアプリケーションと前記第２のアプリケーションとを対応付けるテーブルを記憶する記憶部を備える構成とされ得る。この場合、前記制御部は、前記第１の状態において、前記第１のアプリケーションを動作させて前記第１の表示部に表示を行っているとき、前記テーブルにおいて当該第１のアプリケーションに対応付けられた前記第２のアプリケーションを動作状態に設定する。
【００１４】
このような構成とすれば、第１の状態から第２の状態に切り替わったときに、第１のアプリケーションと同時に使われやすい第２のアプリケーションを表示させ得るため、ユーザに対する利便性を高めることができる。
【００１５】
この場合、携帯端末装置は、設定操作に基づいて、前記テーブルに、前記第１のアプリケーションと前記第２のアプリケーションとの対応付けを登録するためのテーブル設定部を備える構成とされ得る。
【００１６】
このような構成とすれば、ユーザが望むアプリケーションを、第２のアプリケーションとして、第１のアプリケーションの表示に関連付けて表示させることができるので、より一層、ユーザの利便性を高めることができる。
【００１７】
本発明の携帯端末装置において、前記制御部は、前記第２の状態において前記第２の表示部に所定のアプリケーションの動作画面が表示されているときに、前記第１の状態に切り替えられた場合、切り替え前の第２の表示部に表示されていた前記所定のアプリケーションを前記第２のアプリケーションに設定するよう構成され得る。
【００１８】
このような構成とすれば、第１の状態に切り替えられても、第２のアプリケーションは動作状態に維持されるので、再び、第２の状態に切り替えられたときに、第２のアプリケーションの動作画面を、第２の表示部に迅速に表示させることができる。
【００１９】
本発明の携帯端末装置において、前記制御部は、前記第１の状態において、前記第１のアプリケーションに対する入力操作が所定時間なされなければ、前記第２のアプリケーションを停止するよう構成され得る。
【００２０】
このような構成とすれば、ユーザが携帯端末装置の使用を中断して放置した場合等、第２のアプリケーションの使用へと移行しにくい状況において、第２のアプリケーションが
停止されるので、より一層、無駄な電力消費を抑えることができる。
【００２１】
本発明の携帯端末装置において、前記制御部は、前記入力操作が再開されると、前記第２のアプリケーションを再び起動するよう構成され得る。
【００２２】
このような構成とすれば、第２のアプリケーションの使用へと移行しやすい状況になると、第２のアプリケーションが再び起動されるので、第２の状態に切り替わったときに、第２のアプリケーションの動作画面を第２の表示部に迅速に表示することが可能となる。
【００２３】
本発明の携帯端末装置において、前記制御部は、前記第１の状態において、前記第１のアプリケーションが停止したことに基づいて、前記第２のアプリケーションの動作画面を前記第１の表示部に表示するような構成とされ得る。
【００２４】
このような構成とすれば、ユーザは、バックグランドで起動していた第２のアプリケーションの動作画面を、第１の表示部で参照することができ、適宜、第２のアプリケーションの使用へと移行することができる。
【００２５】
本発明の携帯端末装置において、前記制御部は、前記第１の状態において、電話の着信があると、通話機能のアプリケーションの動作画面を前記第１の表示部に表示するとともに、前記通話機能のアプリケーションに対応付けられた前記第２のアプリケーションを起動するような構成とされ得る。
【００２６】
このような構成とすれば、ユーザは、通話の際に、適宜、第２の状態に切り替えることで、通話機能のアプリケーションに対応する第２のアプリケーション、たとえば、電話帳のアプリケーション等の動作画面を、迅速に表示させることができる。よって、ユーザの利便性を高めることができる。
【００２７】
この場合、さらに、前記制御部は、通話機能のアプリケーションが停止すると、前記着信前に起動していた前記第１のアプリケーションの動作画面を前記第１の表示部に表示するとともに、前記着信前に起動していた前記第２のアプリケーションを起動するような構成とされ得る。
【００２８】
このような構成とすれば、通話が終了した後は、着信前の表示形態に戻されるので、ユーザは、着信前のアプリケーションを続けて使用することができる。
【発明の効果】
【００２９】
本発明によれば、２つの表示部による表示状態に切り替えられた際、アプリケーションの動作画面を、外部に現われた表示部に迅速に表示させることができる携帯端末装置を提供することができる。
【００３０】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００３１】
【図１】実施の形態に係る携帯電話機の構成を示す図である。
【図２】実施の形態に係る第２キャビネットが閉じた状態から開いた状態へ切り替えるための操作について説明するための図である。
【図３】実施の形態に係る携帯電話機の全体構成を示すブロック図である。
【図４】実施の形態に係る第２キャビネットが閉じた状態において、第１ディスプレイに表示されるメニュー画面の表示例を示す図である。
【図５】実施の形態に係るアプリケーションが起動されたときの第１ディスプレイおよび第２ディスプレイに対する表示制御について説明するための図である。
【図６】実施の形態に係るアプリケーションが起動されたときの第１ディスプレイおよび第２ディスプレイに対する表示制御について説明するための図である。
【図７】実施の形態に係る図５および図６の制御処理が実行されたときの画面表示の遷移状態を表す図である。
【図８】実施の形態に係る対応テーブルの内容を示す図である。
【図９】実施の形態に係る第２キャビネットが閉じた状態で第１ディスプレイのアプリケーション（ＡＰ１）が終了したときの表示制御の処理フローを示す図である。
【図１０】実施の形態に係る図９の制御処理が実行されたときの画面表示の遷移状態を表す図である。
【図１１】実施の形態に係る第２キャビネットが閉じた状態で電話の着信があったときの表示制御の処理フローを示す図である。
【図１２】実施の形態に係る図１０の制御処理が実行されたときの画面表示の遷移状態を表す図である。
【図１３】変更例１に係る第２キャビネットが開いた状態から閉じた状態に切り替えられたときの表示制御の処理フローを示す図である。
【図１４】変更例１に係る図１３の制御処理が実行されたときの画面表示の遷移状態を表す図である。
【図１５】変更例２に係る対応テーブルの設定するための制御の処理フローを示す図である。
【図１６】変更例２に係る図１５の制御処理が実行されたときの画面表示の遷移状態を表す図である。
【発明を実施するための形態】
【００３２】
以下、本発明の実施の形態について、図面を参照して説明する。
【００３３】
＜携帯電話機の構成＞
図１は、携帯電話機の構成を示す図（分解斜視図）である。携帯電話機は、第１キャビネット１と、第２キャビネット２と、これら第１、第２キャビネット１、２を保持する保持体３とで構成されている。
【００３４】
第１キャビネット１は、横長の直方体形状を有する。第１キャビネット１には、第１ディスプレイ１１が配されており、そのディスプレイ面が、第１キャビネット１の正面に臨んでいる。第１ディスプレイ１１は、後述のように第１液晶パネル１１ａと第１液晶パネル１１ａを照明する第１バックライト１１ｂとで構成されている。
【００３５】
第１ディスプレイ１１の前面には、第１タッチパネル１２が配されている。第１タッチパネル１２は透明なシート状を有しており、第１タッチパネル１２を透してディスプレイ１１に表示される表示画面を見ることができる。
【００３６】
第１タッチパネル１２は、マトリクス状に配された第１透明電極と第２透明電極とを備えている。第１タッチパネル１２は、これら透明電極間の静電容量の変化を検出することによって、ユーザに触られたディスプレイ面上の位置を検出し、その位置に応じた位置信号を出力する。
【００３７】
第１キャビネット１の内部には、中央やや後ろ位置にカメラモジュール１３が配されている。このカメラモジュール１３における被写体像を取り込むためのレンズ窓（図示せず）が、第１キャビネット１の下面に設けられている。第１キャビネット１の内部には、ま
た、前面近傍の中央位置に磁石１４が配されており、右前角部に磁石１５が配されている。さらに、上キャビネット１の右側面および左側面には、それぞれ、突起部１６、１７が設けられている。
【００３８】
第２キャビネット２は、横長の直方体形状を有する。すなわち、第２キャビネット２は、第１キャビネット１とほぼ同じ形状と大きさを有する。第２キャビネット２には、第２ディスプレイ２１が配されており、そのディスプレイ面が、第２キャビネット２の正面に臨んでいる。第２ディスプレイ２１は、後述のように第２液晶パネル２１ａと第２液晶パネル２１ａを照明する第２バックライト２１ｂとで構成されている。なお、第１ディスプレイ１１および第２ディスプレイ２１は、有機ＥＬ等他の表示素子により構成されてもよい。
【００３９】
第２ディスプレイ２１の前面には、第２タッチパネル２２が配されている。第２タッチパネル２２の構成は、第１タッチパネル１２と同様である。
【００４０】
第２キャビネット２の内部には、後面近傍の中央位置に磁石２３が配されている。
この磁石２３と第１キャビネット１の磁石１４とは、後述の如く大画面を構成する位置に第１キャビネット１と第２キャビネット２が位置づけられた状態（開状態）にあるときに、互いに引き合うよう構成されている。なお、第１キャビネット１および第２キャビネット２において、一方の磁石の磁力が十分大きければ、他方の磁石を磁性体に代えてもよい。
【００４１】
第２キャビネット２内部において、右前角部には閉鎖センサ２４が配されており、右後角部には開放センサ２５が配されている。これらセンサ２４、２５は、たとえば、ホールＩＣなどで構成され、磁石の磁力に反応して検出信号を出力する。後述するように、第１キャビネット１と第２キャビネット２とが重なった状態になると、第１キャビネット１の磁石１５が、閉鎖センサ２４に接近するので、閉鎖センサ２４からＯＮ信号が出力される。一方、第１キャビネット１と第２キャビネット２とが前後に並んだ状態になると、第１キャビネット１の磁石１５が、開放センサ２５に接近するので、開放センサ２５からＯＮ信号が出力される。
【００４２】
さらに、第２キャビネット２の右側面には２つの軸部２６が設けられており、左側面には２つの軸部２７が設けられている。
【００４３】
保持体３は、底板部３１と、底板部３１の右端部に形成された右保持部３２と、底板部３１の左端部に形成された左保持部３３とで構成されている。底板部３１、右保持部３２および左保持部３３に囲まれた収容領域Ｒに、第１キャビネット１および第２キャビネット２が上下に重なった状態で収容される。
【００４４】
底板部３１には、３つのコイルバネ３４が左右方向に並ぶように配されている。これらコイルバネ３４は、第２キャビネット２が保持体３に取り付けられた状態において、第２キャビネット２の下面に当接し、第２キャビネット２に対して上方に押し上げる力を付与する。
【００４５】
右保持部３２の上面にはマイク３５および電源キー３６が配されている。また、右保持部３２の外側面には、操作キー群３７が配されている。マナーモードの設定など、一定の機能については、これら操作キーを操作することにより、タッチパネル１２、２２を操作することなく実行される。左保持部３３の上面には、通話スピーカ３８が配されている。ユーザは、左保持部３３側が耳元に、右保持部３２側が口元にくるように携帯電話機を持って、通話を行う。また、ユーザは、通話をしながら電話帳を確認する際には、ハンズフ
リー等のように、受話口（通話スピーカ３８）を耳にあてないような状態で、通話を行うことができる。
【００４６】
右保持部３２および左保持部３３の内側面には、案内溝３９（左保持部３３側のみ図示）が形成されている。案内溝３９は、前後方向に延びる上溝３９ａおよび下溝３９ｂと、溝の前側に形成され、上溝３９ａと下溝３９ｂとに繋がるよう上下に延びる２つの縦溝３９ｃとで構成されている。
【００４７】
携帯電話機をアセンブルする際には、軸部２６、２７をガイド溝３９の下溝３９ｂに挿入するようにして、第２キャビネット２を保持体３の収容領域Ｒ内に配置し、さらに、突起部１６、１７をガイド溝３９の上溝３９ａに挿入するようにして、第１キャビネット１を保持体３の収容領域Ｒ内であって第２キャビネット２の上に配置する。
【００４８】
こうして、第１キャビネット１は、上溝３９ａに案内されて前後にスライド可能となる。また、第２キャビネット２は、下溝３９ｂに案内されて前後にスライド可能となる。また、第２キャビネット２が前方に移動し、軸部２６、２７が縦溝３９ｃまでくると、第２キャビネット２は、縦溝３９ｃに案内されて上下にスライド可能となる。
【００４９】
図２は、第２キャビネット２が閉じた状態から開いた状態へ切り替えるための操作について説明するための図である。
【００５０】
初期の状態においては、同図（ａ）に示すように、第２キャビネット２が第１キャビネット１の背後に隠れた状態となっている。この状態（閉状態）においては、第１ディスプレイ１１のみが外部に露出している。切替えの操作は、ユーザによって手動で行われる。
【００５１】
まず、ユーザは、同図（ｂ）に示すように、第１キャビネット１を後方（矢印の方向）に移動させる。次に、第１キャビネット１の後方への移動が完了すると、同図（ｃ）に示すように、第２キャビネット２を前方へ引き出す。この引出し操作によって、第２キャビネット２が第１キャビネット１に完全に重ならない位置、すなわち第１キャビネット１の前に並ぶ位置まで移動すると、上述のように、軸部２６、２７が縦溝３９ｃにくるので、第２キャビネット２はコイルバネ３３に押されて上昇する。このとき、磁石１４と磁石２３とが引き合うことによって、さらに大きな上昇力が働く。こうして、第２キャビネット２が完全に開いた状態（開状態）になると、同図（ｄ）に示すように、第１キャビネット１と第２キャビネット２とが、前後に密着するように、且つ面一となるように並ぶ。第１ディスプレイ１１と第２ディスプレイ２１の双方が外部に露出し、２つの画面が一体化された大画面の状態となる。
【００５２】
なお、以下の説明において、第２キャビネット２が閉じられ、第１ディスプレイ１１および第２ディスプレイ２１のうち第１ディスプレイ１１が外部に露出した状態を第１の状態という。また、第２キャビネット２が開かれ、双方のディスプレイ１１、２１が外部に露出した状態を第２の状態という。
【００５３】
図３は、携帯電話機の全体構成を示すブロック図である。本実施の形態の携帯電話機は、上述した各構成要素の他、ＣＰＵ１００、メモリ部２００、映像エンコーダ３０１、音声エンコーダ３０２、キー入力回路３０３、通信モジュール３０４、バックライト駆動回路３０５、映像デコーダ３０６、音声デコーダ３０７、外部スピーカ３０８、バッテリー３０９、電源部３１０を備えている。
【００５４】
カメラモジュール１３はＣＣＤ等の撮像素子を有する。カメラモジュール１３は、撮像素子から出力された撮像信号をデジタル化し、その撮像信号にガンマ補正等の各種補正を
施して映像エンコーダ３０１へ出力する。映像エンコーダ３０１は、カメラモジュール１３からの撮像信号にエンコード処理を施してＣＰＵ１００へ出力する。
【００５５】
マイク３５は、集音した音声を音声信号に変換して音声エンコーダ３０２へ出力する。音声エンコーダ３０２は、マイク３５からのアナログの音声信号をデジタルの音声信号に変換するとともに、デジタルの音声信号にエンコード処理を施してＣＰＵ１００へ出力する。
【００５６】
キー入力回路３０３は、電源キー３６や操作キー群３７の各キーが操作されたときに、各キーに応じた入力信号をＣＰＵ１００へ出力する。
【００５７】
通信モジュール３０４は、ＣＰＵ１００からの音声信号や画像信号、テキスト信号などの送信データを無線信号に変換し、アンテナ３０４ａを介して基地局へ送信する。また、アンテナ３０４ａを介して受信した無線信号を音声信号や画像信号、テキスト信号などの受信データに変換してＣＰＵ１００へ出力する。
【００５８】
バックライト駆動回路３０５は、ＣＰＵ１００からの制御信号に応じた電圧信号を第１バックライト１１ｂおよび第２バックライト２１ｂに供給する。第１バックライト１１ｂは、バックライト駆動回路３０５からの電圧信号により点灯し、第１液晶パネル１１ａを照明する。第２バックライト２１ｂは、バックライト駆動回路３０５からの電圧信号により点灯し、第２液晶パネル２１ａを照明する。
【００５９】
なお、第２バックライト２１ｂは閉じた状態から開き始めると点灯してもよいし、開いた状態になったときに点灯してもよい。
【００６０】
映像デコーダ３０６は、ＣＰＵ１００からの映像信号を第１液晶パネル１１ａおよび第２液晶パネル２１ａで表示できるアナログ若しくはデジタルの映像信号に変換し、これら液晶パネル１１ａ、２１ａに出力する。第１液晶パネル１１ａおよび第２液晶パネル２１ａは、映像信号に応じた画像（表示画面）を各ディスプレイ面上に表示する。
【００６１】
音声デコーダ３０７は、ＣＰＵ１００からの音声信号にデコード処理を施し、さらにアナログの音声信号に変換して通話スピーカ３８に出力する。また、音声デコーダ３０７は、ＣＰＵ１００からの着信音、アラーム音等の各種報知音の音信号にデコード処理を施し、さらにアナログの音信号に変換して外部スピーカ３０８へ出力する。通話スピーカ３８は、音声デコーダ３０７からの音声信号を音声として再生する。外部スピーカ３０８は、音声デコーダ３０７からの着信音等を再生する。
【００６２】
バッテリー３０９は、ＣＰＵ１００やＣＰＵ１００以外の各部へ電力を供給するためのものであり、二次電池からなる。バッテリー３０９は電源部３１０に接続されている。
【００６３】
電源部３１０は、バッテリー３０９の電圧を各部に必要な大きさの電圧に変換して各部へ供給する。また、電源部３１０は、外部電源の入力部（図示せず）を介して供給された電力をバッテリー３０９へ供給して、バッテリー３０９を充電する。
【００６４】
メモリ２００は、ＲＯＭおよびＲＡＭを含む。メモリ２００には、ＣＰＵ１００に制御機能を付与するための制御プログラムが記憶されている。
【００６５】
また、メモリ２００には、カメラモジュール１３で撮影した画像データや通信モジュール３０４を介して外部から取り込んだ画像データ、テキストデータ（メールデータ）などが所定のファイル形式で保存される。
【００６６】
ＣＰＵ１００は、キー入力回路３０３およびタッチパネル１２、２２からの操作入力信号に基づき、制御プログラムに従って、カメラモジュール１３、マイク３５、通信モジュール３０４、液晶パネル１１ａ、２１ａ、通話スピーカ３８、外部スピーカ３０８等を動作させる。これにより、ＣＰＵ１００は、通話機能、電子メール機能等の各種アプリケーションを実行する。
【００６７】
また、ＣＰＵ１００は、メモリ２００内に用意されたワークエリア内で、各ディスプレイ１１、２１に表示するメニュー画面や各種アプリケーションの動作画面を生成し、これらの表示画面を表示するための映像信号を出力する。
【００６８】
＜携帯電話機の機能＞
図４は、第１の状態において第１ディスプレイ１１に表示されるメニュー画面の表示例を示す図である。
【００６９】
第１の状態において、第１ディスプレイ１１には、初期画面としてメニュー画面が表示される。メニュー画面には、たとえば、同図に示すように、各種のアプリケーションを実行するためのアイコンＭ１が表示されている。アプリケーションは、あらかじめ登録されているアプリケーション以外にも、インターネットを通じたダウンロード等により入手可能であり、入手されたアプリケーションは、インストールにより携帯電話機に追加される。
【００７０】
第１ディスプレイ１１には、さらに、受信状態を示すアンテナマークＭ２およびバッテリーの残量を示す残量マークＭ３が表示されている。ユーザは、アンテナマークＭ２により受信状態を確認でき、残量マークＭ３によりバッテリーの残量を確認することができる。
【００７１】
ユーザは、第１ディスプレイ１１に表示されたアイコンＭ１の中から、所望のアイコンＭ１を指などでタッチすることにより、所望のアプリケーションを起動することができる。
【００７２】
図５および図６は、アプリケーションが起動されたときの第１ディスプレイ１１および第２ディスプレイ２１に対する表示制御について説明するための図である。また、図７は、図５および図６の制御処理が実行されたときの画面表示の遷移状態を表す図である。
【００７３】
図５（ａ）は、第１の状態においてアプリケーションの起動操作がなされたときの表示制御の処理フローを示す図である。
【００７４】
ユーザは、第１の状態で、図４に示すメニュー画面から所望のアプリケーション（ＡＰ１）を選び、そのアプリケーション（ＡＰ１）に対応するアイコンＭ１を指などでタッチする。
【００７５】
図５（ａ）を参照して、ＣＰＵ１００は、起動操作がなされると（Ｓ１０１：ＹＥＳ）、操作がなされたアプリケーション（ＡＰ１）を起動し、そのアプリケーション（ＡＰ１）の動作画面を生成する。そして、生成した動作画面を第１ディスプレイ１１に表示する（Ｓ１０２）。
【００７６】
図８に示すように、メモリ２００には、第１ディスプレイ１１で起動されるアプリケーション（ＡＰ１）と、第２ディスプレイ２１で起動されるアプリケーション（ＡＰ２）とを対応付ける対応テーブルが記憶されている。
【００７７】
対応テーブルには、同時に使用されやすいアプリケーション同士が対応付けされている。たとえば、ブラウザ機能のアプリケーションには、電子メール機能のアプリケーションが対応づけられている。また、通話機能のアプリケーションには、電話帳のアプリケーションが対応づけられている。また、１つのアプリケーション全体でなく、アプリケーションの一部の機能について、対応付けがなされる場合もある。たとえば、受信メールの表示画面には、返信メールの編集画面が対応づけられている。
【００７８】
ＣＰＵ１００は、メモリ２００内の対応テーブルを参照し、起動されたアプリケーション（ＡＰ１）に対応付けられたアプリケーション（ＡＰ２）があれば（Ｓ１０３：ＹＥＳ）、そのアプリケーション（ＡＰ２）を起動する（Ｓ１０４）。そして、そのアプリケーション（ＡＰ２）の動作画面を生成する。しかし、ＣＰＵ１００は、生成した動作画面を表示するための映像信号を出力せず、第２ディスプレイ２１をオフ状態とする（Ｓ１０５）。
【００７９】
こうして、図７の（画面１）に示すように、第１ディスプレイ１１には、アプリケーション（ＡＰ１）の動作画面が表示される。このとき、第２ディスプレイ２１はオフ状態とされるが、アプリケーション（ＡＰ２）は起動されて、その動作画面がメモリ２００内にバッファリングされた状態となる。
【００８０】
なお、第２ディスプレイ２１への表示は直ちに行われないので、アプリケーション（ＡＰ２）は、迅速に起動される必要がない。このため、ＣＰＵ１００は、ステップＳ１０４において、アプリケーション（ＡＰ２）を、通常の起動時よりもタスクの優先度を下げて起動する。以降に説明する他の制御処理において、第２キャビネット２が閉じた状態でアプリケーション（ＡＰ２）が起動されるときも、上記と同様、タスクの優先度を下げて起動される。
【００８１】
図５（ｂ）は、第１の状態から第２の状態に切り替えられたときの表示制御の処理フローを示す図である。
【００８２】
ユーザは、たとえば、第１ディスプレイ１１でアプリケーションを使用しながら第２ディスプレイ２１で他のアプリケーションを使用したい場合に、第２キャビネット２を開く。
【００８３】
図５（ｂ）を参照して、ユーザによって第２キャビネット２が開かれると、ＣＰＵ１００は、アプリケーション（ＡＰ１）が動作中であれば（Ｓ２０１：ＹＥＳ）、そのまま継続して、アプリケーション（ＡＰ１）の動作画面を第１ディスプレイ１１に表示する（Ｓ２０２）。さらに、ＣＰＵ１００は、アプリケーション（ＡＰ２）が動作中であれば（Ｓ２０３：ＹＥＳ）、第２ディスプレイをオン状態とするとともに、映像信号を出力して、アプリケーション（ＡＰ２）の動作画面を第２ディスプレイ２１に表示する（Ｓ２０４）。
【００８４】
こうして、図７の（画面１）の状態から図７の（画面２）の状態となり、第１ディスプレイ１１には、アプリケーション（ＡＰ１）の動作画面が表示され、第２ディスプレイ２１には、アプリケーション（ＡＰ２）の動作画面が表示される。このとき、第１の状態において、すでにアプリケーション（ＡＰ２）が起動し、その動作画面が生成されている。よって、第２キャビネット２が開かれると、アプリケーション（ＡＰ２）の動作画面が第２ディスプレイ２１に迅速に表示される。
【００８５】
ユーザは、第２ディスプレイ２１に表示されたアプリケーションを使用したい場合はそ
のまま使用する。一方、他のアプリケーションを使用する場合には、動作しているアプリケーションを終了し、他のアプリケーションを起動する。
【００８６】
図５（ｃ）は、第２の状態から第１の状態に切り替えられたときの表示制御の処理フローを示す図である。
【００８７】
ユーザは、たとえば、第２ディスプレイ２１で動作中のアプリケーションの使用をやめる、あるいは、一時的に中断する場合に、第２キャビネット２を閉じる。
【００８８】
図５（ｃ）を参照して、ユーザによって第２キャビネット２が閉じられると、ＣＰＵ１００は、アプリケーション（ＡＰ１）が動作中であれば（Ｓ３０１：ＹＥＳ）、そのまま継続して、アプリケーション（ＡＰ１）の動作画面を第１ディスプレイ１１に表示する（Ｓ３０２）。さらに、ＣＰＵ１００は、第２ディスプレイ２１でアプリケーション（ＡＰ２）が動作していれば（Ｓ３０３：ＹＥＳ）、アプリケーション（ＡＰ２）の動作を継続したまま（Ｓ３０４）、第２ディスプレイをオフ状態とする（Ｓ３０５）。
【００８９】
こうして、図７の（画面２）の状態から図７の（画面１）の状態となり、第１ディスプレイ１１には、アプリケーション（ＡＰ１）の動作画面が表示される。このとき、アプリケーション（ＡＰ２）の動作は継続されるため、その表示画面がメモリ２００内にバッファリングされた状態となる。この状態から再び第２キャビネット２が開かれれば、図５（ｂ）の制御処理が実行され、アプリケーション（ＡＰ２）の動作画面が第２ディスプレイ２１に迅速に表示される。
【００９０】
なお、第２の状態において、アプリケーション（ＡＰ２）が動作していなければ（Ｓ２０３：ＮＯ）、ＣＰＵ１００は、アプリケーション（ＡＰ２）が停止されている状態で、第２ディスプレイ２１をオフ状態とする（Ｓ３０５）。
【００９１】
図６（ａ）、（ｂ）は、第１の状態でのスリープモードに係る表示制御の処理フローを示す図である。第１の状態において、第１ディスプレイ１１で動作しているアプリケーション（ＡＰ１）対する入力操作がない状態が続くと、スリープモードが実行される。
【００９２】
図６（ａ）を参照して、ＣＰＵ１００は、前回の入力操作から所定の時間が経過しても次の入力操作がなされず、これにより、スリープモードへ移行されると（Ｓ４０１：ＹＥＳ）、アプリケーション（ＡＰ１）の動作を継続したまま、第１ディスプレイ１１をオフ状態とする（Ｓ４０２）。さらに、ＣＰＵ１００は、アプリケーション（ＡＰ２）を停止する（Ｓ４０３）。
【００９３】
こうして、図７の（画面１）の状態から図７の（画面３）の状態となり、第１ディスプレイ１１には、アプリケーション（ＡＰ１）の動作画面が表示されなくなる。
【００９４】
スリープモードでは、第１ディスプレイ１１がオフ状態とされ、さらに、アプリケーション（ＡＰ２）が停止されるため、携帯電話機の消費電力が大きく低減される。
【００９５】
ユーザは、入力操作を再開するときには、最初にスリープモードの解除操作を行う。たとえば、操作キー群３７の中の予め解除操作に割り当てられたキーを押す。
【００９６】
図６（ｂ）を参照して、ＣＰＵ１００は、スリープモードが解除されると（Ｓ５０１：ＹＥＳ）、第１ディスプレイ１１をオン状態とし、アプリケーション（ＡＰ１）の動作画面を第１ディスプレイ１１表示する（Ｓ５０２）。さらに、ＣＰＵ１００は、第２ディスプレイ２１はオフ状態のまま、停止していたアプリケーション（ＡＰ２）を再び起動し、
その動作画面を生成する。
【００９７】
こうして、図７の（画面３）の状態から図７の（画面１）の状態となり、第１ディスプレイ１１には、アプリケーション（ＡＰ１）の動作画面が再び表示される。このとき、アプリケーション（ＡＰ２）は再び起動されて、その動作画面がメモリ２００内にバッファリングされた状態となる。この状態から再び第２キャビネット２が開かれれば、図５（ｂ）の処理が実行され、アプリケーション（ＡＰ２）の動作画面が第２ディスプレイ２１に迅速に表示される。
【００９８】
このように、本実施の形態では、第２キャビネット２が開かれる前に、第２ディスプレイ２１に表示されるべきアプリケーション（ＡＰ２）が起動され、その動作画面がメモリ２００内に準備される構成とされている。よって、第２キャビネット２が開かれときに、アプリケーション（ＡＰ２）の動作画面を第２ディスプレイ２１に迅速に表示することができ、ユーザは、スムーズにアプリケーション（ＡＰ２）の使用へと移行できる。また、第２キャビネット２が閉じているときには、第２ディスプレイ２１はオフ状態とされるので、無駄な電力消費を抑えることができる。
【００９９】
また、本実施の形態では、第１ディスプレイ１１で起動されたアプリケーション（ＡＰ１）に対応付けられたアプリケーション（ＡＰ２）が起動される構成とされている。よって、アプリケーション（ＡＰ１）と同時に使用されやすいアプリケーション（ＡＰ２）を、アプリケーション（ＡＰ１）に対応付けておくことができ、ユーザに対する利便性を高めることができる。
【０１００】
さらに、本実施の形態では、アプリケーション（ＡＰ１）に対する入力操作が途切れると、スリープモードが実行され、スリープモードになると、バックグランドで起動していたアプリケーション（ＡＰ２）が停止される。即ち、アプリケーション（ＡＰ２）の使用へと移行されにくい状況になると、アプリケーション（ＡＰ２）が停止されるので、無駄な電力消費を、より一層抑えることができる。
【０１０１】
さらに、本実施の形態では、スリープモードが解除されると、アプリケーション（ＡＰ２）が再び起動される。即ち、アプリケーション（ＡＰ２）の使用へと移行されやすい状況になると、アプリケーション（ＡＰ２）が再び起動されるので、第２の状態となったときに、アプリケーション（ＡＰ２）の動作画面を第２ディスプレイ２１に迅速に表示することが可能となる。
【０１０２】
図９は、第１の状態で第１ディスプレイ１１のアプリケーション（ＡＰ１）が終了したときの表示制御の処理フローを示す図である。また、図１０は、図９の制御処理が実行されたときの画面表示の遷移状態を表す図である。
【０１０３】
図１０の（画面１）のように、第１ディスプレイ１１にアプリケーション（ＡＰ１）の動作画面が表示され、そのバックグランドでアプリケーション（ＡＰ２）が動作しているときに、ユーザによってアプリケーション（ＡＰ１）が終了され、その動作画面が閉じられる場合がある。
【０１０４】
図９を参照して、ＣＰＵ１００は、アプリケーション（ＡＰ１）を終了する操作がなされると（Ｓ６０１：ＹＥＳ）、アプリケーション（ＡＰ１）を停止する（Ｓ６０２）。これにより、第１ディスプレイ１１上では、アプリケーション（ＡＰ１）の動作画面が閉じられる。
【０１０５】
次に、ＣＰＵ１００は、アプリケーション（ＡＰ２）が動作中であるか否かを判定し（
Ｓ６０３）、動作中であれば（Ｓ６０３：ＹＥＳ）、アプリケーション（ＡＰ２）の動作画面を第１ディスプレイ１１に表示するか否かをユーザに確認するための確認画面を第１ディスプレイ１１に表示する（Ｓ６０４）。確認画面は、たとえば、図１０の（画面２）に示すような表示画面とされる。アプリケーション（ＡＰ２）の動作画面を第１ディスプレイ１１に表示する場合、ユーザは、確認画面の「はい」のキーを押す。表示しない場合には、「いいえ」のキーを押す。
【０１０６】
ＣＰＵ１００は、表示を許可する操作がなされると（Ｓ６０５：ＹＥＳ）、図１０の（画面３）に示すように、アプリケーション（ＡＰ２）の動作画面を第１ディスプレイ１１に表示する（Ｓ６０６）。一方、ＣＰＵ１００は、表示を許可しない操作がなされると（Ｓ６０５：ＮＯ）、アプリケーション（ＡＰ２）を停止する（Ｓ６０７）。
【０１０７】
このように、本実施の形態では、第１ディスプレイ１１で動作しているアプリケーション（ＡＰ１）が終了されたときに、バックグランドでアプリケーション（ＡＰ２）が動作していれば、アプリケーション（ＡＰ２）の動作画面が第１ディスプレイ１１表示される構成とされている。これにより、ユーザは、アプリケーション（ＡＰ２）の動作画面を、第１ディスプレイ１１で参照することができ、適宜、アプリケーション（ＡＰ２）の使用へと移行することができる。
【０１０８】
しかも、ユーザの許可がなければ、アプリケーション（ＡＰ２）の動作画面が第１ディスプレイ１１表示されないので、不所望な表示がなされることがない。
【０１０９】
なお、アプリケーション（ＡＰ２）が動作していな場合（Ｓ６０３：ＮＯ）やアプリケーション（ＡＰ２）が停止された場合（Ｓ６０７）、第１ディスプレイ１１には、たとえば、メニュー画面が表示されることとなる。
【０１１０】
上記構成では、ステップＳ６０３でアプリケーション（ＡＰ２）が動作中であると判定されると、確認画面が表示される。しかしながら、確認画面が表示されず、すぐに第１ディスプレイ１１にアプリケーション（ＡＰ）の動作画面が表示されるようにしても良い。この場合には、第１ディスプレイ１１の画面表示が、図１０の（画面１）から直接（画面３）へと移行する。ユーザは、第１ディスプレイ１１に表示されたアプリケーション（ＡＰ２）を使用しなければ、そのアプリケーション（ＡＰ２）を終了させれば良い。
【０１１１】
図１１は、第１の状態で電話の着信があったときの表示制御の処理フローを示す図である。また、図１２は、図１１の制御処理が実行されたときの画面表示の遷移状態を表す図である。
【０１１２】
図１２の（画面１）のように、第１の状態において、第１ディスプレイ１１にアプリケーション（ＡＰ１）の動作画面が表示され、そのバックグランドでアプリケーション（ＡＰ２）が動作しているときに、電話の着信がある場合がある。
【０１１３】
図１１を参照して、ＣＰＵ１００は、電話の着信があると（Ｓ７０１：ＹＥＳ）、アプリケーション（ＡＰ１）およびアプリケーション（ＡＰ２）を停止する（Ｓ７０２）。アプリケーション（ＡＰ１）が停止される際には、停止直前の動作画面がメモリ２００に保存される。
【０１１４】
次に、ＣＰＵ１００は、通話機能のアプリケーションを起動し、図１２の（画面２）に示すように、その動作画面、即ち、呼出し画面を第１ディスプレイ１１に表示する（Ｓ７０３）。さらに、ＣＰＵ１００は、対応テーブルを参照し、通話機能のアプリケーションに対応するアプリケーション、たとえば、電話帳のアプリケーションを起動し、その動作
画面を生成する（Ｓ７０４）。
【０１１５】
この状態で、ユーザによって、第２キャビネット２が開かれると、図５（ｂ）の制御処理が実行され、電話帳のアプリケーションの動作画面が第２ディスプレイ２１に迅速に表示される。ユーザは、通話をしながら、電話帳により通話相手に関する情報（電話番号、住所等）を確認することができる。
【０１１６】
第１の状態で、ユーザの通話が終了し、通話停止の操作がなされると（Ｓ７０５：ＹＥＳ）、ＣＰＵ１００は、着信前に動作していたアプリケーション（ＡＰ１）を再び起動する。そして、メモリ２００に保存された停止直前の動作画面を生成して、第１ディスプレイ１１に表示する（Ｓ７０６）。さらに、第２ディスプレイ２１はオフ状態のまま、着信前に動作していたアプリケーション（ＡＰ２）を起動して、その動作画面を生成する（Ｓ７０７）。
【０１１７】
このように、本実施の形態では、ユーザは、通話の際に、適宜、第２の状態に切り替えることで、通話機能のアプリケーションに対応するアプリケーション（ＡＰ２）、たとえば、電話帳のアプリケーションの動作画面を、迅速に表示させることができる。よって、ユーザの利便性を高めることができる。
【０１１８】
さらに、通話が終了した後は、着信前の表示形態に戻されるので、ユーザは、着信前のアプリケーション（ＡＰ１）およびアプリケーション（ＡＰ２）を続けて使用することができる。
【０１１９】
＜変更例１＞
図１３は、変更例１に係る第２の状態から第１の状態に切り替えられたときの表示制御の処理フローを示す図である。また、図１４は、図１３の制御処理が実行されたときの画面表示の遷移状態を表す図である。
【０１２０】
上記実施の形態では、図５（ｃ）の制御処理において、第２キャビネット２が閉られたときに、第１ディスプレイ１１でアプリケーション（ＡＰ１）が動作していなければ（Ｓ３０１：ＮＯ）、即ち、図１４のように、第１ディスプレイ１１の表示が、たとえば、メニュー画面に戻っていれば、そのまま処理が終了される。この場合、他の制御処理が実行され、たとえば、第１ディスプレイ１１にはメニュー画面が表示され、アプリケーション（ＡＰ２）は停止される。しかしながら、図５（ｃ）の制御処理を、本変更例のように変更することもできる。
【０１２１】
図１３を参照して、ＣＰＵ１００は、アプリケーション（ＡＰ１）が動作中であれば（Ｓ３０１：ＹＥＳ）、その動作画面を第１ディスプレイ１１に表示したままとした後に（Ｓ３０２）、動作フラグをセットする（Ｓ３１１）。動作フラグは、アプリケーション（ＡＰ１）が動作中であるか否かを判別するためのフラグである。
【０１２２】
一方、ＣＰＵ１００は、アプリケーション（ＡＰ１）が動作中でなければ（Ｓ３０１：ＮＯ）、動作フラグをリセットする（Ｓ３１２）。
【０１２３】
その後、ＣＰＵ１００は、アプリケーション（ＡＰ２）が動作中であれば、動作フラグを確認する（Ｓ３１３）。そして、動作フラグがリセットされていれば（Ｓ３１３：ＮＯ）、図１４の（画面２）に示すように、アプリケーション（ＡＰ２）の動作画面を第２ディスプレイ２１に表示する（Ｓ３１４）。
【０１２４】
このような構成とれば、ユーザは、第１の状態に切り替えられたときに、適宜、アプリ
ケーション（ＡＰ２）を利用することができる。
【０１２５】
なお、動作フラグがリセットされている場合に、図９のステップＳ６０４からＳ６０７と同様な処理が行われても良い。即ち、確認画面を表示してユーザに確認をとり、表示の許可があった場合に、アプリケーション（ＡＰ２）の動作画面を第１ディスプレイ１１に表示するようにしても良い。
【０１２６】
＜変更例２＞
図１５は、変更例２に係る対応テーブルの設定するための制御の処理フローを示す図である。また、図１６は、図１５の制御処理が実行されたときの画面表示の遷移状態を表す図である。
【０１２７】
上記実施の形態では、対応テーブルの内容が予め設定されていたが、本変更例のように、対応テーブルの内容をユーザが任意に設定できるようにすることもできる。
【０１２８】
対応テーブルの設定は、双方のディスプレイ１１、１２を用いて行われる。第２の状態で、対応テーブルを設定するための操作がなされると、図１５の制御処理が開始される。
【０１２９】
図１５を参照して、ＣＰＵ１００は、まず、図１６の（画面１）に示すような選択画面を、双方のディスプレイ１１、１２に表示する。各ディスプレイ１１、１２には、それぞれ、選択対象となるアイコンＭ１が表示される。
【０１３０】
ユーザは、第１ディスプレイ１１で起動するアプリケーション（ＡＰ１）のアイコンＭ１を第１ディスプレイ１１上で選択する。そして、選択したプリケーション（ＡＰ１）に対応して第２ディスプレイ２１で起動するアプリケーション（ＡＰ２）のアイコンＭ１を第２ディスプレイ２１上で選択する。ユーザは、各ディスプレイ１１、１２からそれぞれアイコンＭ１を選択すると、「ＯＫ」のキーを押す。
【０１３１】
ユーザによって「ＯＫ」キーが押されると、ＣＰＵ１００は、選択が完了したと判定し（Ｓ８０２：ＹＥＳ）、図１６の（画面２）に示すような確認画面を、双方のディスプレイ１１、１２に表示する。第１ディスプレイ１１には、対応テーブルＭ４が表示され、第２ディスプレイ２１には、ユーザが設定を続けるか終わるかの操作を行うための表示画面が表示される。
【０１３２】
ユーザは、第１ディスプレイ１１で現在の設定状況を確認し、さらに設定を続ける場合には、「続ける」のキーを押す。これにより、ＣＰＵ１００は、設定を続ける操作がなされると（Ｓ８０４：ＹＥＳ）、選択画面を、双方のディスプレイ１１、１２に再び表示する（Ｓ８０１）。
【０１３３】
一方、ユーザは、全ての設定が完了すると、「終わる」のキーを押す。これにより、ＣＰＵ１００は、設定を終わる操作がなされると（Ｓ８０５：ＹＥＳ）、対応テーブルの設定内容をメモリ２００に登録し（Ｓ８０６）、処理を終了する。
【０１３４】
このような構成とすれば、ユーザが望むアプリケーション（ＡＰ２）を第２ディスプレイ２１で起動させることができるので、ユーザに対する利便性がより高めることができる。
【０１３５】
なお、設定内容が予め決められた標準の対応テーブルが別途用意され、ユーザによって対応テーブルが設定されない場合には、標準の対応テーブルが参照されるようにしても良い。また、第１ディスプレイ１１で、ユーザによって設定された対応テーブルにないアプ
リケーション（ＡＰ１）が第１ディスプレイ１１で起動されたときも、標準の対応テーブルが参照されるようにしても良い。
【０１３６】
＜その他＞
以上、本発明の実施形態について説明したが、本発明は上記実施の形態によって何ら制限されるものではなく、また、本発明の実施形態も上記の他に種々の変更が可能である。
【０１３７】
たとえば、上記実施の形態では、スリープモードに移行すると、すぐに第１ディスプレイ１１がオフ状態とされる構成とされている。しかしながら、これに限らず、スリープモードに移行すると、まず、第１バックライト１１ｂの輝度が低下され、その後さらに、一定時間、入力操作がなければ、第１ディスプレイ１１がオフ状態とされる構成とされても良い。この場合、アプリケーション（ＡＰ２）は、第１ディスプレイ１１がオフ状態とされたタイミングで停止されても良いし、第１バックライト１１ｂの輝度が低下されたタイミングで停止されても良い。また、ユーザによって所定の移行操作がなされたときに、スリープモードに移行されても良い。
【０１３８】
また、変更例２では、ユーザが対応テーブルの設定を行える構成とされている。しかし、これに替えて、あるいはこれに加えて、次のような構成としても良い。即ち、第２の状態で、双方のディスプレイ１１、２１で同時に使用されたアプリケーションの履歴をメモリ２００に記憶し、同時使用の回数（頻度）が所定量を越えると、これら２つのアプリケーションが対応テーブルに設定されるような構成としても良い。
【０１３９】
さらに、上記実施の形態では、第１ディスプレイ１１で動作するアプリケーション（ＡＰ１）に１つのアプリケーション（ＡＰ２）が対応付けられている。しかしながら、アプリケーション（ＡＰ１）に複数のアプリケーション（ＡＰ２）が対応付けられても良い。この場合、アプリケーション（ＡＰ１）の動作画面が第１ディスプレイ１１に表示される際、バックグランドで複数のアプリケーション（ＡＰ２）が起動される。そして、第２の状態に切り替わると、まず、第２ディスプレイ２１に、これらのアプリケーション（ＡＰ２）が選択候補として表示される。ユーザが、複数の候補から所望のアプリケーション（ＡＰ２）を選ぶと、選ばれたアプリケーション（ＡＰ２）が第２ディスプレイ２１に表示される。
【０１４０】
さらに、本発明の携帯端末装置は、携帯電話機に限られず、ＰＤＡ（PersonalDigital Assistant）等であってもよい。
【０１４１】
この他、本発明の実施の形態は、特許請求の範囲に示された技術的思想の範囲内において、適宜、種々の変更が可能である。
【符号の説明】
【０１４２】
１１  第１ディスプレイ（第１の表示部）
１４  磁石（切替部）
１６  突起部（切替部）
１７  突起部（切替部）
２１  第２ディスプレイ（第２の表示部）
２３  磁石（切替部）
２６  軸部（切替部）
２７  軸部（切替部）
３４  コイルバネ（切替部）
３９  案内溝（切替部）
１００  ＣＰＵ（制御部、テーブル設定部）
２００  メモリ（記憶部）
【図１】
2011205576.tif 000003
【図２】
2011205576.tif 000004
【図３】
2011205576.tif 000005
【図４】
2011205576.tif 000006
【図５】
2011205576.tif 000007
【図６】
2011205576.tif 000008
【図７】
2011205576.tif 000009
【図８】
2011205576.tif 000010
【図９】
2011205576.tif 000011
【図１０】
2011205576.tif 000012
【図１１】
2011205576.tif 000013
【図１２】
2011205576.tif 000014
【図１３】
2011205576.tif 000015
【図１４】
2011205576.tif 000016
【図１５】
2011205576.tif 000017
【図１６】
2011205576.tif 000018